(57)【特許請求の範囲】
【請求項１】
被写体を撮像する撮像手段と、前記撮像手段により撮像された画像の画像データを記憶媒体に記憶させる記憶手段と、前記記憶媒体に記憶された画像データを外部記憶装置へ転送するための通信手段とを備えた電子機器において、
前記画像データの前記通信手段による転送を指示する転送指示操作部と、
前記画像データの転送終了を確認する転送終了確認手段と、
前記画像データの転送が進行中は前記画像データが転送されていることを示す転送マークを表示し、かつ前記転送終了確認手段による前記画像データの転送終了確認により、表示を変えて転送が終了したことを示す転送終了マークを表示する表示手段と、
外部電源が接続可能な外部電源接続端子と、
前記外部電源接続端子に前記外部電源が接続されているか否かを判別する判別手段と、
前記判別手段により前記外部電源接続端子に前記外部電源が接続されていないと判別されると、前記転送終了確認手段による前記画像データの転送終了確認から所定時間後に電子機器の電源をオフし、前記判別手段により前記外部電源接続端子に前記外部電源が接続されていると判別されると、前記転送終了確認手段による前記画像データの転送終了確認から所定時間後であっても電源をオフすることがない電源制御手段とを備え、
前記記憶手段は、前記外部記憶装置から受信した前記転送終了のメッセージの記載された転送終了メッセージファイルを前記記憶媒体に記憶し、
前記転送終了確認手段は、前記記憶媒体に記憶された前記転送終了メッセージファイルの確認によって、前記転送終了を確認することを特徴とする電子機器。
【請求項２】
請求項１に記載の電子機器において、
前記転送終了確認手段が前記転送終了を確認すると、前記記憶媒体から前記転送終了メッセージファイルを削除する削除手段を更に備えることを特徴とする電子機器。
【請求項３】
被写体を撮像する撮像手段と、前記撮像手段により撮像された画像の画像データを記憶媒体に記憶させる記憶手段と、前記記億媒体に記憶された画像データを外部記憶装置へ転送するための通信手段とを備えた電子機器において、
前記画像データの前記通信手段による転送を指示する転送指示操作部と、
前記画像データの転送終了により、電子機器の電源のオフを許可するマークを表示する表示手段とを備えたことを特徴とする電子機器。
【請求項４】
請求項３に記載の電子機器において、
駆動用内蔵バッテリを備えることを特徴とする電子機器。
【請求項５】
請求項４に記載の電子機器において、
外部電源が接続可能な外部電源接続端子と、
前記外部電源接続端子に前記外部電源が接続されているか否かを判別する判別手段と、
前記判別手段により前記外部電源が接続されてないと判別されると前記表示手段による前記マークの表示を許可し、前記判別手段により前記外部電源が接続されていると判別されると前記表示手段による前記マークの表示を禁止する制御手段とを設けたことを特徴とする電子機器。
【請求項６】
請求項３〜請求項５のいずれかに記載の電子機器において、
前記画像データの転送終了から所定時間後に電子機器の電源をオフするようにしたことを特徴とする電子機器。
【請求項７】
情報入力手段を有する外部記憶装置と、
電子機器であって、被写体を撮像する撮像手段と、前記撮像手段により撮像された画像の画像データを記憶媒体に記憶させる記憶手段と、前記記憶媒体に記憶された画像データの外部への出力が可能な情報出力手段と、前記電子機器と外部電源とを接続する外部電源接続端子と、前記外部電源が前記外部電源接続端子を介して前記電子機器に接続されているか否かを判断する判断手段と、前記画像データの前記情報出力手段を介した転送を指示する転送指示操作部とを備え、低消費電力モードで動作可能な電子機器と、
前記情報出力手段から前記情報入力手段へと前記画像データを伝達する伝達手段とを備え、
前記転送指示操作部の指示により、前記伝達手段を介した前記電子機器から前記外部記憶装置への画像データの転送を開始し、前記判別手段により前記外部電源接続端子に前記外部電源が接続されていないと判別されると転送終了後に前記伝達手段を介した前記外部記憶装置からの指示により前記電子機器を低消費電力モードとするようにし、前記判別手段により前記外部電源接続端子に前記外部電源が接続されていると判別されると転送終了後に前記伝達手段を介した前記外部記憶装置からの指示があっても前記電子機器を低消費電力モードとしないようにしたことを特徴とする電子機器システム。
【発明の詳細な説明】
【０００１】
【発明の属する技術分野】
本発明は、電子機器および電子機器システムに関する。
【０００２】
【従来の技術】
デジタルスチルカメラ等の電子カメラでは、撮影された画像データはカメラ内のメモリや、カメラに装着されたメモリカード等の記録媒体に記録される。撮影後の画像データは、通信ケーブルを介してＰＣ（パーソナルコンピュータ）等の記憶装置に転送することができる。また、ＰＣをインターネットに接続することにより、ＰＣに転送された画像ファイルをさらにインターネットを介してフォトサービスに画像フィルを転送することも可能となる。
【０００３】
電子カメラとＰＣとの通信手段にはＵＳＢが用いられることが多く、画像ファイルの転送時間は比較的短縮されるようになった。一方、ＰＣとインターネットとの接続には電話回線等が一般的に用いられており、電子カメラとＰＣとの間の転送時間よりも、ＰＣとインターネットとの間の転送時間の方がかなり長くなる。
【０００４】
【発明が解決しようとする課題】
しかしながら、ＰＣとインターネットとの間の転送が継続していると、電子カメラからＰＣへの転送が終了したことに気付き難く、電子カメラの電源を切り忘れることが多かった。さらに、初心者の場合には、電子カメラの電源をオフするタイミングが不慣れなため、電子カメラの電源をオフにするのを忘れて、バッテリの無駄な電力消費を招いていた。また、ＵＳＢ通信では、ＰＣは所定時間間隔でカメラをポーリングに行くので、カメラはスリープ状態の低電力モードになることができず、電源の消費が継続されるという問題もあった。
【０００５】
本発明の目的は、画像転送の終了が分かり易く、電力消費の低減を図ることができる電子機器および電子機器システムを提供することにある。
【０００６】
【課題を解決するための手段】
（１）請求項１の発明は、被写体を撮像する撮像手段と、前記撮像手段により撮像された画像の画像データを記憶媒体に記憶させる記憶手段と、前記記憶媒体に記憶された画像データを外部記憶装置へ転送するための通信手段とを備えた電子機器において、前記画像データの前記通信手段による転送を指示する転送指示操作部と、前記画像データの転送終了を確認する転送終了確認手段と、前記画像データの転送が進行中は前記画像データが転送されていることを示す転送マークを表示し、かつ前記転送終了確認手段による前記画像データの転送終了確認により、表示を変えて転送が終了したことを示す転送終了マークを表示する表示手段と、外部電源が接続可能な外部電源接続端子と、前記外部電源接続端子に前記外部電源が接続されているか否かを判別する判別手段と、前記判別手段により前記外部電源接続端子に前記外部電源が接続されていないと判別されると、前記転送終了確認手段による前記画像データの転送終了確認から所定時間後に電子機器の電源をオフし、前記判別手段により前記外部電源接続端子に前記外部電源が接続されていると判別されると、前記転送終了確認手段による前記画像データの転送終了確認から所定時間後であっても電源をオフすることがない電源制御手段とを備え、前記記憶手段は、前記外部記憶装置から受信した前記転送終了のメッセージの記載された転送終了メッセージファイルを前記記憶媒体に記憶し、前記転送終了確認手段は、前記記憶媒体に記憶された前記転送終了メッセージファイルの確認によって、前記転送終了を確認することを特徴とする。
（２）請求項３の発明は、被写体を撮像する撮像手段と、前記撮像手段により撮像された画像の画像データを記憶媒体に記憶させる記憶手段と、前記記億媒体に記憶された画像データを外部記憶装置へ転送するための通信手段とを備えた電子機器において、前記画像データの前記通信手段による転送を指示する転送指示操作部と、前記画像データの転送終了により、電子機器の電源のオフを許可するマークを表示する表示手段とを備えたことを特徴とする。
（３）請求項７の発明の電子機器システムは、情報入力手段を有する外部記憶装置と、電子機器であって、被写体を撮像する撮像手段と、前記撮像手段により撮像された画像の画像データを記憶媒体に記憶させる記憶手段と、前記記憶媒体に記憶された画像データの外部への出力が可能な情報出力手段と、前記電子機器と外部電源とを接続する外部電源接続端子と、前記外部電源が前記外部電源接続端子を介して前記電子機器に接続されているか否かを判断する判断手段と、前記画像データの前記情報出力手段を介した転送を指示する転送指示操作部とを備え、低消費電力モードで動作可能な電子機器と、前記情報出力手段から前記情報入力手段へと前記画像データを伝達する伝達手段とを備え、前記転送指示操作部の指示により、前記伝達手段を介した前記電子機器から前記外部記憶装置への画像データの転送を開始し、前記判別手段により前記外部電源接続端子に前記外部電源が接続されていないと判別されると転送終了後に前記伝達手段を介した前記外部記憶装置からの指示により前記電子機器を低消費電力モードとするようにし、前記判別手段により前記外部電源接続端子に前記外部電源が接続されていると判別されると転送終了後に前記伝達手段を介した前記外部記憶装置からの指示があっても前記電子機器を低消費電力モードとしないようにしたことを特徴とする。
【０００７】
なお、上記課題を解決するための手段の項では、本発明を分かり易くするために発明の実施の形態の図を用いたが、これにより本発明が発明の実施の形態に限定されるものではない。
【０００８】
【発明の実施の形態】
以下、図を参照して本発明の実施の形態を説明する。図１は本発明による電子機器の一実施の形態を示す図であり、（ａ）は電子カメラを上方から見た平面図、（ｂ）は電子カメラを後方から見た背面図である。図１（ａ）に示すように、電子カメラ１の上面には、電源のオン／オフ操作を行うメインスイッチ４、撮影動作を行わせるためのレリーズボタン５、およびカメラ情報を表示する表示パネル７が設けられている。この電子カメラ１は、被写体を撮影して得られた画像データを後述するメモリカード４２４に記録する記録モードと、メモリカード４２４に記録された画像データを読み出してカメラ背面に設けられた表示ＬＣＤ３（図１（ｂ）参照）に再生表示する再生モードとを有している。この記録モードと再生モードとの切換操作は、ダイヤル６により行う。
【０００９】
図１（ｂ）に示すように、カメラ背面には、画像表示用の表示ＬＣＤ３の他に、ファインダー接眼窓８、撮影光学系２をズーム操作するためのズーム切換ボタン９や各種操作ボタンが設けられている。ズーム切換ボタン９は、そのＷ側が押し込まれると撮影光学系２が広角側に駆動され、Ｔ側が押し込まれると望遠側に駆動される。記録モード時には、後述するＣＣＤ２１４により撮像された被写体像が表示ＬＣＤ３に逐次表示される。一方、再生モード時には、後述するメモリカード４２４に記録されている画像のサムネイル表示や、個々の画像の再生表示などが表示ＬＣＤ３により行われる。
【００１０】
１０は表示ＬＣＤ３に設定メニューを表示させるためのメニューボタンであり、各種設定を行う際に設定メニューを表示させて選択ボタン１１ａ〜１１ｄにより設定すべき項目を選択する。本実施の形態では、設定メニューにより後述する記録モード時の転送マーキングの設定および解除、再生モード時の一括での転送マーキング設定および解除、再転送の設定等を行うことができる。それぞれの設定についての詳細は後述する。転送／マーキングボタン１２は、画像ファイル毎に転送マーキングを付加する際、および画像ファイル転送を開始させる際に用いられる操作ボタンである。
【００１１】
転送／マーキングボタン１２は、ＵＳＢ接続端子１３に後述するＵＳＢ通信用ケーブル２１（後述する図５を参照）が接続されると転送ボタンとして機能し、ＵＳＢ通信用ケーブル２１が外されるとマーキングボタンとして機能する。１５はＡＣアダプタ（不図示）を接続するための外部電源接続端子であり、ＡＣアダプタの外部電源接続端子１５への接続・非接続は検出装置４５７（図２参照）により検出される。ＵＳＢ接続端子１３および外部電源接続端子１５はカバー１６内に設けられており、カバー１６を開くとそれらの端子１３，１５が露出する。
【００１２】
図２は図１に示した電子カメラの回路ブロック図である。ＲＯＭ４４３には、電子カメラ１の制御プログラムが記憶されている。メインスイッチ４をオンにすると電子カメラ１の電源がオンとなり、この制御プログラムがＣＰＵ４３９によって起動される。ダイヤル６により記録モードに設定されると、電子カメラ１は撮影可能となる。一方、ダイヤル６により再生モードに設定されると、記録媒体であるメモリカード４２４に記録されている画像データに基づく画像を表示ＬＣＤ３に再生表示することができる。なお、記録モード時には、ＣＣＤ２１４からの撮像信号に基づく画像が表示ＬＣＤ３に表示される。
【００１３】
撮影光学系２は複数のレンズ２０１〜２０４を有しており、焦点調節動作はレンズ駆動回路４３０により行われる。このレンズ駆動回路４３０による焦点調節動作は、通常、ＣＰＵ４３９の指令により行われるが、距離環４６２をマニュアル操作した際に出力される操作信号によっても焦点調節動作を行わせることができる。
【００１４】
撮影光学系２のレンズ２０３とレンズ２０４との間には、シャッタ板２０８および絞り２１５が設けられている。撮影光学系２に入射した被写体光は、レンズ２０１〜２０４、シャッタ板２０８および絞り板２１５を通過してＣＣＤ２１４の撮像面上に結像される。絞り板２１５およびシャッタ板２０８は円盤状に形成されており、円盤の回転中心にそれぞれ設けられたステップモータ４１５、４０８により駆動される。絞り板２１５には開口面積の異なる複数の絞り開口部（不図示）が設けられており、ステップモータ４１５で絞り板２１５を回転させて任意の１つの絞り開口部を光軸上に配設する。
【００１５】
シャッタ板２０８にはレンズ２０３を通過した全ての光束を遮光する完全遮光部（不図示）と、全ての光束を通過させる開口部（不図示）とが設けられている。露光時にはシャッタ板２０８の開口部が光路上にセットされ、露光終了とともに完全遮光部が光路上にセットされる。絞り板２１５を回動するステップモータ４１５は、駆動回路４５３により駆動制御される。シャッタ板２０８を回動するステップモータ４０８は、シャッタ駆動回路４５４により駆動制御される。
【００１６】
撮影の際には、まず、ＣＣＤ２１４に蓄積されている電荷が排出されるとともに、絞り板２１５の所定の開口部が光路上にセットされる。そして、ＣＣＤ２１４が所定時間露光されると電荷が再び蓄積される。上記電荷の排出から再びシャッタ板２０８の完全遮光部で光路が遮光されるまでの時間が、露光時間に対応している。
【００１７】
撮影光学系２によりＣＣＤ２１４の撮像面上に被写体像が結像されると、被写体像の光の強弱に応じた信号電荷が蓄積される。ＣＣＤ２１４にはデジタルシグナルプロセッサ(以下、ＤＳＰと呼ぶ)４３３から水平駆動信号が供給されるとともに、ＤＳＰ４３３により制御されるＣＣＤ駆動回路４３４から垂直駆動信号が供給される。すなわち、ＣＣＤ２１４はＤＳＰ４３３およびＣＣＤ駆動回路４３４によりタイミング制御され、ＣＣＤ２１４からの信号は画像処理部４３１に入力される。
【００１８】
画像処理部４３１はノイズ除去回路や直流再生回路などを有しており、ＣＣＤ２１４から出力された画像信号に対してノイズ除去、ゲインコントロールなどのアナログ処理を施す。画像処理部４３１から出力されたアナログの画像信号は、アナログ／デジタル変換回路(以下、Ａ／Ｄ変換回路と呼ぶ)４３２によりデジタル信号に変換される。変換後のデジタル画像データは、上述したＤＳＰ４３３に入力される。
【００１９】
ＤＳＰ４３３では、Ａ／Ｄ変換回路４３２から出力された画像データに対して輪郭補償やガンマ補正、ホワイトバランス調整などの画像処理が施される。また、ＤＳＰ４３３はバッファメモリ４３６およびメモリカード４２４に接続されているデータバスを制御して、各種画像処理が施された画像データをバッファメモリ４３６に一旦記憶させる。そして、その後に、バッファメモリ４３６から画像データを読出し、所定の圧縮形式（例えば、ＪＰＥＧ方式）でデータ圧縮してメモリカード４２４に記録させる。
【００２０】
また、ＤＳＰ４３３は、ＣＣＤ２１４で撮像され上記画像処理が行われた後の画像データや、メモリカード４２４から読み出され伸張された画像データをフレームメモリ４３５に記憶させ、それらの画像データに基づく画像を電子カメラ１に設けられた表示ＬＣＤ３に表示させる。さらに、ＤＳＰ４３３は、上述した画像データのメモリカード４２４への記録や伸張後の撮影画像データのバッファメモリ４３６への記録などにおける、データ入出力のタイミング管理も行う。
【００２１】
ＣＣＤ２１４の出力に基づく画像データが一時的に格納されるバッファメモリ４３６は、メモリカード４２４に対する画像データの入出力の速度の違いや、ＣＰＵ４３９やＤＳＰ４３３等における処理速度の違いを緩和するために利用される。タイマ４４５は時計回路を内蔵し、現在の時刻に対応するタイムデータをＣＰＵ４３９に出力するとともに、後述するモニタオンオフ制御の際のタイマとしても用いられる。このタイムデータは、上述した画像データとともにメモリカード４２４に記録される。
【００２２】
測色素子４１７は主要被写体およびその周囲の色温度を検出し、検出した色温度のデータを測色回路４５２へ出力する。測色回路４５２は測色素子４１７から出力されたアナログ信号に所定の処理を施してデジタル値に変換し、変換後のデジタル信号をＣＰＵ４３９へ出力する。インタフェース４４８は、所定の外部装置(不図示)との間でデータの送受信を行うために設けられたものであり、本実施の形態ではＵＳＢインタフェースが設けられている。４４０は表示パネル７を制御する表示回路である。電源部４５５には、カメラ駆動用のバッテリ４５６と外部電源接続端子１５とが設けられている。上述したように、ＡＣアダプタの外部電源接続端子１５への接続・非接続は検出装置４５７により検出される。
【００２３】
撮影された画像の画像データは、画像ファイルとしてメモリカード４２４に記録される。メモリカード４２４内には「ＤＣＩＭ」というディレクトリが作成され、画像ファイルはそのディレクトリに記録される。図３はＤＣＩＭディレクトリ内のファイル構造を定性的に示したものである。ＤＣＩＭディレクトリには、「１００ＮＩＫＯＮ」という名称の画像フォルダ４４が予め形成される。撮影により得られた画像データの画像ファイル４５は、この画像フォルダ４４内に格納される。画像ファイル４５には、撮影した順に「DSCN0001.jpg」，「DSCN0002.jpg」，「DSCN0003.jpg」のようにファイル名が付加される。図３に示す例では、「DSCN0001.jpg」〜「DSCN0010.jpg」までの１０個の画像ファイル４５が格納されている。
【００２４】
電子カメラ１内のメモリカード４２４から外部装置に画像ファイル４５を転送する場合には、予め転送すべき画像の各々に転送マーキングを付加しておく。ＵＳＢケーブルを電子カメラ１に接続して図１の転送／マーキングボタン１２を操作すると、転送マーキングが付加された画像データ（画像ファイル４５）のみが転送される。転送マーキングの設定は、記録モードおよび再生モードのいずれの場合でも行うことができる。記録モードの場合、(a)設定メニューによる一括設定と、(b)撮影直後のフリーズ画像表示中に設定する方法とがある。一方、再生モードの場合には、(c)表示ＬＣＤ３に一コマ再生表示して設定する方法と、(d)表示ＬＣＤ３にサムネイル再生表示させて設定する方法と、(e)記録モードの場合と同様に設定メニューにより一括設定／解除する方法とがある。
【００２５】
例えば、一コマ再生表示して設定する場合には、図４のように表示ＬＣＤ３に一コマ画像を再生表示させて転送／マーキングボタン１２をプッシュ操作する。
そうすると、図３の画像フォルダ４４内にリストファイル４７が生成される。４６はリストファイル４７の記録内容を示したリストである。上述したように画像を指定して転送／マーキングボタン１２を操作すると、リスト４６に指定した画像のファイル名４８が記録され、図４に示すように表示ＬＣＤ３に転送マーク３３が表示される。
【００２６】
図３の例では、リスト４６に「DSCN0002.jpg」，「DSCN0004.jpg」という名称のファイル名４８が記録されているので、これらのファイル名の画像ファイル４５に転送マーキングが付加されていることになる。なお、転送マーキングが付加された画像を表示ＬＣＤ３に再生表示すると、図４に示すような転送マーク３３が必ず表示されるので、カメラ使用者はどの画像に転送マーキングが付されているかを容易に確認することができる。
【００２７】
《画像ファイル転送動作の説明》
図５は、画像ファイル４５をＰＣ２０に転送する場合のシステム構成を示す図である。電子カメラ１のＵＳＢ接続端子１３はＵＳＢケーブル２１を介してＰＣ２０のＵＳＢ接続端子２４に接続される。２２はＰＣ２０に接続されたモニタである。ＰＣ２０はモデム２５および一般電話回線を介してインターネットと接続されている。例えば、ＰＣ２０に画像ファイル４５を転送した後に、インターネットを利用したフォトサービスに画像ファイル４５を転送することができる。
【００２８】
ＰＣ２０には転送処理用プログラムが予めインストールされている。このプログラムは、例えば、ＵＳＢケーブル２１で接続された電子カメラ１に図３に示したファイル構造が有ることをＰＣ２０が認識すると、自動的に起動する。ＵＳＢケーブル２１が電子カメラ１に接続されると、電子カメラ１の転送／マーキングボタン１２は転送開始を指示する転送ボタンとしての機能を有するようになる。
【００２９】
転送動作時には、図３に示すようにメモリカード４２４のＤＣＩＭディレクトリに、「order.job」というファイル５０と「reply.job」というファイル５１とが生成される。「order.job」ファイル５０は電子カメラ１により作成され、ＰＣ２０により参照される。一方、「reply.job」ファイル５１はＰＣ２０により作成され、電子カメラ１により参照される。このように、メモリカード４２４を仲立ちにしてカメラ側の処理とＰＣ側の処理とが関連づけて行われ、ＰＣ２０への画像ファイル４５の転送作業が行われる。
【００３０】
図６および図７は、転送／マーキングボタン１２が操作されてから、画像ファイルの転送が終了するまでの手順を示すフローチャートである。図６のフローチャートは電子カメラ１側の処理手順を示したものであり、図７のフローチャートはＰＣ２０側の処理手順を示したものである。以下では、図３に示す例に基づいて転送動作を説明する。
【００３１】
まず、図６に示したカメラ側の処理について説明する。図６のフローチャートは、電子カメラ１の転送／マーキングボタン１２が操作されると処理がスタートする。ステップＳ１０１では、図８（ａ）に示すように、転送準備中であることを示す表示６０を表示ＬＣＤ３に表示する。ステップＳ１０２では、図３の「order.job」ファイル５０をメモリカード４２４内に作成し、そのファイル５０に「transfer」という命令５２を書き込む。
【００３２】
ステップＳ１０３では、メモリカード４２４内に「reply.job」ファイル５１が作成されたか否かを判定し、「reply.job」ファイル５１が作成されるとステップＳ１０４へ進んで、「reply.job」ファイル５１を参照する。この「reply.job」ファイル５１は上述したようにＰＣ２０により作成されるものであり、ファイル内には転送数５３や、リストファイル４７に記録されたファイル名４８の全ての画像ファイル４５が転送終了したことを示す「finish」という命令５４が記録される。なお、「reply.job」ファイル５１の生成当初には、一つ目の画像ファイルが転送中であることを示す「１／２」が転送数５３として記録されている。
【００３３】
ステップＳ１０５では、「reply.job」ファイル５１に「finish」命令５４が記録されているか否かを判定し、ＹＥＳと判定されるとステップＳ１０６へ進み、ＮＯと判定されるとステップＳ１０９へ進む。ステップＳ１０５からステップＳ１０９へ進んだ場合には、「reply.job」ファイル５１の記録内容に応じて表示ＬＣＤ３の表示を更新する。
【００３４】
具体的には、一つ目の画像ファイル４５（ファイル名「DSCN0002.jpg」）を転送している最中の「reply.job」ファイル５１には、「１／２」という転送枚数５３が記録されており、二つ目の画像ファイル４５（ファイル名「DSCN0004.jpg」）を転送している最中には、「２／２」という転送枚数５３が記録されている。そして、二つ目の画像ファイル４５の転送完了後は、上述した「finish」という命令５４が記録される。そして、一つ目の画像ファイル４５を転送している最中には、図８（ｂ）に示すような表示６１，６２，６３が表示ＬＣＤ３に表示される。表示６１は画像ファイルの転送中であることを示す表示であり、表示６２はいくつ目の画像ファイルを転送しているかを示す表示であり、表示６３は転送経過状況をバーグラフで示したものである。
【００３５】
一方、「reply.job」ファイル５１に「finish」命令５４が有ってステップＳ１０５からステップＳ１０６へ進んだ場合には、ステップＳ１０６においてメモリカード４２４内の「order.job」ファイル５０を削除する。ステップＳ１０７では、「reply.job」ファイル５１がＰＣ２０によって削除されたか否かを判定し、削除されるとステップＳ１０８へ進む。ステップＳ１０８では、図８（ｃ）に示すような表示６４，６５を表示ＬＣＤ３に表示する。表示６４は、リストファイル４７に記録されているファイル名４８の画像ファイル４５が全て転送されたことを示す表示である。表示６５は、電子カメラ１の電源をオフしても良いことを示す表示である。
【００３６】
次に、図７に示すＰＣ側の処理手順について説明する。ステップＳ２０１では、メモリカード４２４内に「order.job」ファイル５０が作成されたか否かを判定し、ファイル５０が作成されたならばステップＳ２０２へ進む。ステップＳ２０２では、「order.job」ファイル５０内の「transfer」命令５２を受けて、図３に示した「reply.job」ファイル５１をメモリカード４２４内に作成する。各転送タイミングにおける「reply.job」ファイル５１内の記録内容は上述したとおりである。
【００３７】
ステップＳ２０３では、リストファイル４７に記録されているファイル名４８の画像ファイル４５の一つを、ＰＣ２０側に転送する。ステップＳ２０４では、リストファイル４７に記録されているファイル名４８の画像ファイル４５の全てが転送終了したか否かを判定し、ＹＥＳと判定されるとステップＳ２０５へ進み、ＮＯと判定されるとステップＳ２０８へ進む。ステップＳ２０４からステップＳ２０８へ進んだ場合には、「reply.job」ファイル５１の記録内容を更新する。例えば、一つ目の画像ファイル４５の転送が完了したときには、転送数５３を「１／２」から「２／２」に書き換える。
【００３８】
一方、全ての画像ファイルの転送が終了してステップＳ２０４からステップＳ２０５へ進んだ場合には、ステップＳ２０５において「reply.job」ファイル５１に「finish」命令５４を書き込む。ステップＳ２０６では、メモリカード４２４内の「order.job」ファイル５０が削除されたか否かを判定し、ＹＥＳと判定されるとステップＳ２０７へ進む。ステップＳ２０７では、メモリカード４２４内の「reply.job」ファイル５１を削除する。
【００３９】
図６，図７のフローチャートに示す処理では、転送が終了したならば表示ＬＣＤ３に図８（ｃ）に示すような表示を出して、使用者に電子カメラ１の電源をオフにしても良いことを知らせるようにした。そのため、ＰＣ側で転送処理とは別の処理が継続されていた場合でも、画像転送が終了したことを使用者に知らせることができるとともに、電子カメラ１の電源オフを促すことによってバッテリ４５６の無駄な消費を防止することができる。また、使用者が電子カメラやＰＣの扱いに不慣れな初心者で、どのタイミングになれば電子カメラ１の電源をオフにして良いかについて不慣れな場合であっても、図８（ｃ）の表示を出すことにより安心して電源をオフすることができる。
【００４０】
なお、図８（ｃ）に示す例では表示６５を表示してカメラ電源のオフが可能なことを示したが、ＡＣアダプタを使用している場合には、バッテリ４５６の無駄な電力消費という問題が無いので、表示６５を表示しなくても良い。
【００４１】
図９は図６のフローチャートの変形例であり、図６のステップＳ１０８の後にステップＳ３０１〜ステップＳ３０３の処理を追加したものである。ステップＳ１０８において図８（ｃ）に示す表示を出したならば、ステップＳ３０１に進んで、ＡＣアダプタが電子カメラ１の外部電源接続端子１５（図１，２を参照）に接続されているか否かを判定する。ステップＳ３０１においてＮＯと判定されるとステップＳ３０２へ進み、ＹＥＳと判定されると図９のフローチャートの処理を終了する。
【００４２】
ＡＣアダプタが接続されていなくてステップＳ３０１からステップ３０２へ進んだ場合には、ステップＳ３０２において、転送終了表示をしてから所定時間が経過したか否かを判定する。ステップＳ３０２において所定時間経過したと判定されると、ステップＳ３０３へ進む。ステップＳ３０３では、電子カメラ１の電源をオフする。こうすることにより、転送終了表示後に使用者が電子カメラ１の電源オフを忘れた場合でも、電源オフとすることによりバッテリ４５６の無駄な電力消費を防止することができる。
【００４３】
また、ＰＣ２０側から電子カメラ１に信号を送って電子カメラ１の電源をオフしたり、スリープ状態と呼ばれる低消費電力状態にしたりしても良い。この場合も、バッテリ４５６の無駄な電力消費を防止することができる。なお、ＵＳＢケーブル２１がＰＣ２０と接続されていると、ＰＣ２０は所定時間間隔で電子カメラ１をポーリングに行くので、スリープを指示する信号を受けた後には、ポーリングがあってもそれを受け付けないように設定される。
【００４４】
なお、上述した実施の形態では、ＵＳＢケーブル２１が接続されているか否かによって、転送／マーキングボタン１２の機能を切り換えるようにしたが、転送用のボタンとマーキング用のボタンとを各々備えるようにしても良い。また、通信方式としては上述したＵＳＢ方式に限らず、ブルートゥースなどの無線方式を用いても良い。
【００４５】
以上説明した実施の形態と特許請求の範囲の要素との対応において、ＣＣＤ２１４は撮像手段を、メモリカード４２４は記憶媒体を、ＰＣ２０は外部記憶装置を、ＵＳＢ接続端子１３およびインタフェース４４８は通信手段および情報出力手段を、バッテリ４５６は駆動用内蔵バッテリを、表示６４，６５はマークを、転送／マーキングボタン１２は転送指示操作部を、表示ＬＣＤ３は表示手段を、検出装置４５７およびＣＰＵ４３９は判別手段を、ＣＰＵ４３９は記憶手段および制御手段を、ＵＳＢ接続端子２４は情報入力手段を、ＵＳＢ通信用ケーブル２１は伝達手段をそれぞれ構成する。
【００４６】
【発明の効果】
以上説明したように、請求項１および２の発明によれば、画像データの転送終了により転送終了のマークや電源オフを許可するマークを表示したことにより、画像データの転送終了や電子機器の電源オフのタイミングが分かり易くなる。そのため、使用者に対して電源オフを促す効果がある。
また、請求項３や請求項４の発明のように駆動用内蔵バッテリを用いる電子機器では、マークの表示で使用者に電源オフを促すことにより、バッテリの無駄な電力消費を防止することができる。
請求項５の発明では転送終了から所定時間後に電子機器の電源がオフとされるので、低消費電力の効果がある。
また、請求項１〜６の発明では、電子機器側の転送指示操作部の指示により画像データの転送が行われるので、転送作業が分かり易く簡単になる。
【図面の簡単な説明】
【図１】本発明による電子機器の一実施の形態を示す図であり、（ａ）は電子カメラを上方から見た平面図、（ｂ）はカメラを後方から見た背面図である。
【図２】図１に示す電子カメラの回路ブロック図である。
【図３】メモリカード４２４内のファイル構造を定性的に示す図である。
【図４】転送マーク３３の表示例を示す図である。
【図５】画像データをＰＣ２０のハードディスクに転送する場合のシステム構成を示す図である。
【図６】カメラ側の処理手順を示すフローチャートである。
【図７】ＰＣ側の処理手順を示すフローチャートである。
【図８】表示ＬＣＤ３の表示例を示す図であり、（ａ）は転送準備中の表示、（ｂ）は転送中の表示、（ｃ）は転送終了時の表示をそれぞれ示す。
【図９】図６に示す処理手順の変形例を示すフローチャートである。
【符号の説明】
１  電子カメラ
３  表示ＬＣＤ
１２  転送／マーキングボタン
１３，２４  ＵＳＢ接続端子
１５  外部電源接続端子
２０  ＰＣ（パーソナルコンピュータ）
２１  ＵＳＢ通信用ケーブル
４４  画像フォルダ
４７  リストファイル
１２  転送／マーキングボタン
２１４  ＣＣＤ
４２４  メモリカード
４３９  ＣＰＵ
４４８  インタフェース
４５６  バッテリ
４５７  検出装置
【図１】
0004569032.tif 000002
【図２】
0004569032.tif 000003
【図３】
0004569032.tif 000004
【図４】
0004569032.tif 000005
【図５】
0004569032.tif 000006
【図６】
0004569032.tif 000007
【図７】
0004569032.tif 000008
【図８】
0004569032.tif 000009
【図９】
0004569032.tif 000010